(57)【要約】      （修正有）【課題】反射面上に形成される薄膜の特性を損なうことなく、撮像される画像の解像度の劣化が抑制されたプリズムを含む撮像光学系及び撮像装置を提供する。【解決手段】少なくとも物体側から像面側に向かって順に配置されたプリズム１５０とレンズ系とを含み、プリズム１５０は、入射した光を反射する反射面と、反射面上に形成され、１層から構成される薄膜と、薄膜上に形成される金属膜１５５とを備え、薄膜の膜厚が、以下の条件式を満たす。  ｐ／１０≦（ｎｐ（λ）／ｎＡ（λ））×ｄ（λ）×β≦ｐ【選択図】図４
2008058412.tif 000002
【特許請求の範囲】
【請求項１】
被写体の光学的な像を撮像素子上に形成する撮像光学系であって、
少なくとも物体側から像面側に向かって順に配置されたプリズムとレンズ系とを含み、
前記プリズムは、
入射した光を反射させる反射面と、
前記反射面上に形成され、１層から構成される薄膜と、
前記薄膜上に形成される金属膜とを備え、
前記薄膜の膜厚が、以下の条件式を満たすことを特徴とする撮像光学系。
ｐ／１０≦（ｎｐ（λ）／ｎＡ（λ））×ｄ（λ）×β≦ｐ
ただし、
λ：入射光の波長帯域うち使用する波長帯域の中央値
β：プリズムから像面側に配置されているレンズ系の像倍率
ｐ：撮像素子の１画素の大きさ
ｄ（λ）：波長λにおける薄膜の膜厚
ｎｐ（λ）：波長λにおけるプリズムの屈折率
ｎＡ（λ）：波長λにおける薄膜の屈折率
である。
【請求項２】
前記薄膜は、さらに複数層から構成され、
前記薄膜の膜厚が、以下の条件式をそれぞれ満たすことを特徴とする、請求項１に記載の撮像光学系。
０．１λ≦ｄ（λ）≦１．０λ
ｐ／１０≦（ｎｐ（λ）／ｎＡ（λ））×ｄ（λ）×β≦ｐ
ただし、
λ：入射光の波長帯域うち使用する波長帯域の中央値
β：プリズムから像面側に配置されているレンズ系の像倍率
ｐ：撮像素子の１画素の大きさ
ｄ（λ）：波長λにおける薄膜の膜厚
ｎｐ（λ）：波長λにおけるプリズムの屈折率
ｎＡ（λ）：波長λにおける薄膜の屈折率の平均値
である。
【請求項３】
前記プリズムの反射面は、撮影光学系の光軸を略９０度折り曲げるように入射した光を反射させる、請求項１に記載の撮像光学系。
【請求項４】
請求項１または２に記載の撮像光学系と、
前記撮像光学系により形成された被写体の光学的な像を受光し、電気的な画像信号に変換して出力する撮像センサとを備える、撮像装置。
【発明の詳細な説明】
【技術分野】
【０００１】
本発明は、撮像光学系及び撮像装置に関し、より特定的には反射面上に薄膜が形成されたプリズムを含む撮像光学系及び撮像装置に関する。
【背景技術】
【０００２】
近年、被写体の光学的な像を電気的な画像信号に変換して出力可能なデジタルスチルカメラ（以下、単にデジタルカメラという）が急速に普及している。特に最近では、高倍率ズームのデジタルカメラが要望される一方、さらに小型化・薄型化されたコンパクトなカメラが要望されている。
【０００３】
コンパクト化を実現するために、例えば撮像光学系に沈胴構造を用いたカメラが提案されている。しかしながら、沈胴構造を用いた場合、レンズ系を伸縮させるためのアクチュエータや機構部品が必要となり、レンズ鏡筒の構成が複雑になるという問題もあった。
【０００４】
一方、コンパクト化を実現する他の手段として、撮像光学系に反射部材を設けて撮像光学系の光軸を折り曲げる技術が提案されている（例えば特許文献１、２）。特許文献１及び特許文献２は、ズームレンズ系を備える撮像装置において、最も物体側に配置されたレンズ群中に、光束を９０°折り曲げる内部反射面を有するプリズムを配置した構成を開示している。特許文献１及び特許文献２に記載された撮像装置において、プリズムに入射する被写体光は、内部反射面で反射され撮像素子上に収束される。すなわち、特許文献１及び特許文献２に記載された撮像装置では、物体光を入射するレンズ群の光軸に対して垂直な面内で折り曲げることにより、撮像装置の厚みをプリズムとプリズムよりも物体側に配置されるレンズ素子とにより決定することができる。これにより特許文献１，２は厚みが低減された撮像装置を提供できるとしている。
【特許文献１】特開２００４−００４５３３号公報
【特許文献２】特開２００３−２０２５００号公報
【発明の開示】
【発明が解決しようとする課題】
【０００５】
入射する光束をプリズム内部で折り曲げるために、例えばガラスからなるプリズム内部の反射面には金属膜が設けられる。金属膜は蒸着やスパッタリング等の方法によりガラス面に形成することができるが、ガラスと金属膜との密着性を高めるために、ガラス面と金属膜との間に保護膜が設けられることがある。
【０００６】
また、全反射により光を反射させた場合と比べて金属膜の反射率は低くなるため、ガラスと金属膜との間に増反射膜を設けることも一般的に行われる。しかしながら、保護膜や増反射膜など、プリズムの反射面と金属面との間に厚みのある膜を設けると、撮像される画像の解像度が劣化するという問題があった。
【０００７】
そこで本発明の目的は、反射面上に形成される薄膜の特性を損なうことなく、撮像される画像の解像度の劣化が抑制されたプリズムを含む撮像光学系及び撮像装置を提供することにある。
【課題を解決するための手段】
【０００８】
本発明の目的は以下の構成を備えた撮像光学系により達成される。
被写体の光学的な像を撮像素子上に形成する撮像光学系であって、
少なくとも物体側から像面側に向かって順に配置されたプリズムとレンズ系とを含み、
前記プリズムは、
入射した光を反射する反射面と、
前記反射面上に形成され、１層から構成される薄膜と、
前記薄膜上に形成される金属膜とを備え、
前記薄膜の膜厚が、以下の条件式（１）を満たすことを特徴とする撮像光学系。
ｐ／１０≦（ｎｐ（λ）／ｎＡ（λ））×ｄ（λ）×β≦ｐ
ただし、
λ：入射光の波長帯域うち使用する波長帯域の中央値
β：プリズムから像面側に配置されているレンズ系の像倍率
ｐ：撮像素子の１画素の大きさ
ｄ（λ）：波長λにおける薄膜の膜厚
ｎｐ（λ）：波長λにおけるプリズムの屈折率
ｎＡ（λ）：波長λにおける薄膜の屈折率
である。
【発明の効果】
【０００９】
本発明により、反射面上に形成される薄膜の特性を損なうことなく、撮像される画像の解像度の劣化が抑制されたプリズムを含む撮像光学系及び撮像装置を提供できる。
【発明を実施するための最良の形態】
【００１０】
（実施の形態１）
図１は、実施の形態１におけるレンズ鏡筒の構成を示す概略図であり、図１（ａ）〜（ｄ）はレンズ鏡筒１００の上面図、正面図、底面図、断面側面図をそれぞれ表している。レンズ鏡筒１００は、最物体側レンズ群Ｌ１を保持する第１保持部１０１と、プリズム１５０を含む反射光学ユニットＬ２を保持する第２保持部１０２と、像側レンズ群Ｌ３を保持する第３保持部１０３とから構成される。
【００１１】
図１（ｄ）に示すようにレンズ鏡筒１００の内部には、ズーム光学系Ｌと撮像素子１１０とが保持される。撮像素子１１０は、ズーム光学系Ｌが形成する光学的な像を電気的な画像信号に変換する、例えばＣＣＤ（Ｃｈａｒｇｅ  Ｃｏｕｐｌｅｄ  Ｄｅｖｉｃｅ）である。なお、撮像素子はＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）またはＭＯＳセンサでもよい。
【００１２】
ズーム光学系Ｌは、被写体側から順に、最物体側レンズ群Ｌ１と反射光学ユニットＬ２と像側レンズ群Ｌ３とから構成される。ズーム光学系Ｌは、各レンズ群を光軸方向に移動させることによりズーミングおよびフォーカシングを行い、撮像素子１１０上に被写体の光学的な像を形成する。
【００１３】
最物体側レンズ群Ｌ１は、複数のレンズ素子を含み、入射した被写体光を反射光学ユニットＬ２へ導く。最物体側レンズ群Ｌ１を構成する各レンズ素子は、Ｚ軸方向に沿って配置される。反射光学ユニットＬ２は、プリズム１５０と複数のレンズ素子とを含む。ここでプリズム１５０は、被写体からの光を反射面の内面で反射させ、その光軸を略９０度に折り曲げる反射部材である。プリズム１５０の反射面には、後述する保護膜あるいは増反射膜、及び金属膜が施され、Ｚ軸方向から入射した光の光軸を−Ｙ軸方向に折り曲げる。
【００１４】
像側レンズ群Ｌ３は、複数のレンズ素子を含み、反射光学ユニットＬ２により反射された被写体光を撮像素子１１０上に集光する。像側レンズ群Ｌ３を構成する各レンズ素子は、Ｙ軸方向に沿って配置され、その光軸はプリズム１５０の反射面に対して略４５度の角度を成している。このようにズーム光学系Ｌは、反射光学ユニットＬ２を備えることにより、ズーム光学系の一部をＹ軸方向に配置することができるので、カメラ本体の薄型化・小型化を図ることができる。なお、上述のズーム光学系の配置は一例であり、例えばプリズム１５０はＺ軸方向から入射した光の光軸をＸ軸方向に反射するように配置してもよい。かかる場合、像側レンズ群Ｌ３および撮像素子１１０はＸ軸方向に沿って配置される。
【００１５】
次に、反射光学ユニットＬ２の詳細な構成について説明する。図２は、反射光学ユニットＬ２を保持する第２保持部１０２の概略拡大図である。なお、図２ではプリズム１５０の位置を分かりやすくするために、プリズム１５０以外の構成要素およびレンズ鏡筒の一部を省略している。第２保持部１０２の内部にはプリズム１５０を含む反射光学ユニットＬ２が保持され、物体側には入射口２０１が設けられ、像側には射出口２０２が設けられている。
【００１６】
このように構成された第２保持部１０２において、入射口２０１から入射した光はプリズム１５０の反射面に対して略４５度の入射角度で入射し、射出口２０２の方向に反射される。射出口２０２を通過した光は像側レンズ群Ｌ３に導かれ、撮像素子１１０上に被写体の光学的な像が形成される。
【００１７】
図３（ａ）は、第２保持部１０２の概略断面図であり、図３（ｂ）は、Ａ部の拡大図である。図４は、図３（ｂ）の拡大図において光が入射した場合を示す。上図に示すように、本実施の形態ではプリズム１５０の反射面と金属膜１５５との間には密着性を高めるために保護膜１５２が設けられている。入射光６０４はプリズム１５０内を透過し、その一部がプリズム１５０と保護膜１５２の界面で反射され、反射光６０５として伝播する。また入射光線６０４の一部は、プリズム１５０内及び保護膜１５２を透過して保護膜１５２と金属膜１５５の界面で反射され、反射光６０６として伝播する。このため、保護膜１５２の膜厚に応じて、光線６０５と光線６０６の分離距離ｄ´が変化することになる。保護膜の膜厚ｄと分離距離ｄ´との関係を式で表すと以下のようになる。
ｄ´（λ）＝（ｎｐ（λ）／ｎＡ（λ））×ｄ（λ）・・・（１）
ただし、ｄ´（λ）：波長λにおける光線６０５と光線６０６の分離距離
ｄ（λ）：波長λにおける保護膜１５２の膜厚
ｎｐ（λ）：波長λにおけるプリズムの屈折率
ｎＡ（λ）：波長λにおける保護膜の屈折率
である。
【００１８】
また、プリズム１５０から像面側に配置されたレンズ系（すなわち像側レンズ群Ｌ３）の像倍率をβとしたとき、分離距離ｄ´は以下の式を満たす。
ｐ／４＜ｄ´×β＜ｐ・・・（２）
式（２）に式（１）を代入すると、
ｐ／４≦（ｎｐ（λ）／ｎＡ（λ））×ｄ（λ）×β（λ）≦ｐ・・・（３）
ただし、ｐ：撮像素子の１画素の大きさ
である。保護膜１５２の膜厚ｄは式（３）を満たすように設定する。
【００１９】
ｄ´×β及び（ｎｐ（λ）／ｎＡ（λ））×ｄ（λ）×β（λ）の値が式（２）、（３）の上限を超えると、分離距離ｄ´は撮像素子の空間分解能を超えることになるので、大きなローパス効果が発生し解像性能を劣化させる。一方、下限は比較的成膜させやすい条件を設定している。しかしながら技術的な進歩により膜厚を薄くすることが可能であればｐ／４以下でもよい。また仮にｐ／１０以下の場合であっても解像性能に影響はない。
【００２０】
より好ましくは、保護膜１５２の膜厚ｄは以下の式を満足するよう設定される。
ｐ／４≦（ｎｐ（λ）／ｎＡ（λ））×ｄ（λ）×β（λ）≦ｐ／２・・・（４）
式（４）を満たすように膜厚ｄ（λ）を設定することにより、より解像度の劣化を抑制できる。
【００２１】
ここで、撮像素子１１０の１画素の大きさｐ＝２．５μｍ、プリズムの屈折率ｎｐ（λ）＝１．８８、保護膜の屈折率ｎＡ（λ）＝１．４５、像側レンズ群Ｌ３の像倍率β＝１．５倍であるときの保護膜の膜厚ｄ（λ）の条件は、式（３）から以下の範囲であることが望ましい。
０．３２μｍ≦ｄ≦１．２９μｍ
さらに波長を考慮すると膜厚ｄは、
０．４λ≦ｄ≦０．８２λ
であることが望ましい。
【００２２】
また、式（４）から保護膜の膜厚ｄ（λ）の条件は、
０．３２μｍ≦ｄ≦０．６５μｍ
であることが望ましい。
【００２３】
このように、本実施の形態で示した膜厚条件により保護膜を構成することにより、プリズムの反射面と金属膜との密着性を損なうことなく、解像度の劣化の少ないプリズム含む撮像光学系を提供できる。
【００２４】
なお、プリズム１５０及び保護膜１５２の屈折率は波長によって変化することから、本実施の形態で示した各式は実使用の波長帯域の屈折率と波長に合わせて適切な間隔を適宜変更されてもよい。
【００２５】
（実施の形態２）
次に実施の形態２に係る撮像光学系について説明する。図５は、実施の形態２に含まれるプリズムの一部の拡大図である。本実施の形態のプリズムは、実施の形態１のプリズムとほぼ同様の構成を有するが、プリズムの反射面には保護膜１５２の代わりに反射率を向上させるための増反射膜１６０が設けられている点で異なる。また、本実施の形態では、反射面上には、２層の薄膜（増反射膜）が形成される。説明の便宜上、実施の形態１と同一の部分については同一の符号を付して説明する。
【００２６】
図５において、入射光７０４はプリズム１５０内を透過し、透過した光の一部はプリズム１５０と第１層目の薄膜の界面で反射され、反射光７０５として伝播する。またプリズム内を透過した光の一部は、さらに第１層目及び第２層目の薄膜を透過した後、金属膜１５５との界面で反射されて反射光６０６として伝播する。このため、実施の形態１と同様に増反射膜１６０の膜厚ｄ１及びｄ２に応じて、光線７０５と光線７０６の分離距離ｄ´が変化することになる。
【００２７】
本実施の形態では、プリズムと増反射膜と金属膜のそれぞれの界面における反射率についてシミュレーションを行った。なお、簡易的に計算するために、プリズムの材質を波長依存性を持たないガラス材料とし、薄膜材料についても波長依存性が小さいものとしてシミュレーションを行った。
【００２８】
図６（ａ）はプリズム１５０の一部の拡大図と反射特性を示す図である。プリズム１５０の反射面には増反射膜１６０ａが設けられる。表１は増反射膜１６０ａの膜構成を示す。図６（ａ）及び表１から、増反射膜１６０ａは４層の薄膜が積層され、ｓ偏光の反射率が高いのに対し、ｐ偏光の反射率が低くなっている。このことから、ｓ偏光の多くはプリズム１５０と増反射膜１６０ａの界面近辺において反射され、ｐ偏光は増反射膜１６０ａを透過することが分かる。
【表１】
2008058412.tif 000003
図６（ｂ）は、プリズム１５０の一部の拡大図と反射特性を示す図である。図６（ａ）と異なりプリズム１５０の反射面には増反射膜１６０ｂと金属膜１５５が設けられる。表２は増反射膜１６０ｂ及び金属膜１５５の膜構成を示す。図６（ｂ）及び表２から、増反射膜１６０ｂは４層の薄膜と１層の金属膜が積層され、ｐ偏光およびｓ偏光ともに約８０％程度以上の反射率であることが分かる。図６（ａ）、（ｂ）の結果から、プリズムと増反射膜との界面におけるｐ偏光の反射率は小さく、金属膜との界面における反射率は大きい。これに対して、プリズムと増反射膜との界面におけるｓ偏光の反射率は大きく、金属膜の界面に到達する光線強度は低い。このようにｐ偏光とｓ偏光の反射面は異なっており、反射面による光線分離が発生していることがわかる。
【表２】
2008058412.tif 000004
【００２９】
例えば設計中心波長λ＝５５０ｎｍ、ＴｉＯ2の屈折率ｎｄ＝２．３、ＳｉＯ2の屈折率ｎｄ＝１．４５の場合、増反射膜の合計厚さは、
１．０×０．５５×２．３＋０．５×０．５５×１．４５＝１．６６μｍとなる。
表２の膜構成における光線の分離距離ｄ´は、入射角度が４５度の条件において
ｄ´＝１．５λ×２×ｓｉｎ４５°＝１．１６μｍ
となる。
【００３０】
このため、プリズム１５０から像面側に位置する光学系の倍率が１．５〜２倍程度に拡大されると解像性能に影響が生じ、画質は劣化する。そこで、増反射膜の膜厚をより薄くすることが好ましく、例えば増反射膜は表３に示すように２層の薄膜を積層してもよい。図７（ａ）は表３の膜構成における反射特性を示す図である。図７（ａ）及び表３から、プリズムと増反射膜の界面におけるｓ偏光及びｐ偏光の反射率は４０％以下である。したがって、入射光の多くは２層の薄膜を積層してなる増反射膜を透過する。
【表３】
2008058412.tif 000005
【００３１】
表４は、表３の膜構成に加えて金属膜１５５をさらに設けた場合の膜構成である。図７（ｂ）は、表４の膜構成における反射特性を示す図である。図７（ｂ）及び表４から、ｓ偏光およびｐ偏光の反射率は約８０％以上であることが分かる。
【表４】
2008058412.tif 000006
【００３２】
図７（ａ）、（ｂ）から、２層の薄膜からなる増反射膜１６０と金属膜１５５とが積層されたプリズムに入射した光は、その多くが増反射膜１６０を透過し、金属膜１５５で反射される。すなわち、ｓ偏光及びｐ偏光ともに金属膜で反射されることになるので、光線分離による画質劣化を抑制することができる。
【００３３】
また、画質の劣化を抑制するためには、増反射膜の膜厚を薄くするだけでなく、さらにプリズムの材料を屈折率の高い材料に変更してもよい。表５は屈折率の高いプリズムを用いた場合の膜構成を示し、図８（ａ）は反射特性を示す図である。図８（ａ）及び表５から、ｓ偏光及びｐ偏光ともに反射率は１０％以下であり、入射した光の多くは増反射膜１６０を透過する。
【表５】
2008058412.tif 000007
【００３４】
表６は、表５の膜構成に加えて金属膜をさらに設けた場合の膜構成である。図８（ｂ）は、表６の膜構成における反射特性を示す図である。ｓ偏光及びｐ偏光ともに反射率は７０％以上であり、入射した光の多くは反射する。
【表６】
2008058412.tif 000008
【００３５】
図８（ａ）、（ｂ）から、プリズムの材料を屈折率の高い材料に変更することにより、プリズムに入射した光は、その多くが増反射膜を透過し、金属膜で反射される。したがって、光線分離による画質劣化を抑制できる。このとき、増反射膜の膜厚は以下の条件を満足するよう設定することが望ましい。
０．１λ≦ｄ≦１．０λ・・・（５）
ここで、ｄは薄膜の総厚（増反射膜の膜厚）である。
膜厚ｄが式（５）の下限以下になると、膜厚の制御が困難になるとともに密着性が悪化し、薄膜の耐環境性能に悪影響を及ぼす。一方、膜厚ｄが上限を超えると、光線分離により画質が劣化する。
【００３６】
膜厚ｄはさらに以下の式を満足することが望ましい。
０．５λ≦ｄ≦１．０λ
【００３７】
なお、入射光の波長帯域うち使用する波長帯域の中央値において、増反射膜のみを設けたプリズムにおけるｓ偏光の反射率は、増反射膜と金属膜を設けたプリズムにおけるｓ偏光の反射率よりも十分に小さくなる必要があり、例えば５０％以下であることが望ましい。
【００３８】
また、実施の形態１と同様に以下の式を満足するように膜厚ｄを設定することにより解像度の劣化を抑制することができる。
ｐ／１０≦（ｎｐ（λ）／ｎＡ（λ））×ｄ（λ）×β（λ）≦ｐ・・・（６）
ただし、ｄ´（λ）：波長λにおける光線の分離距離
ｄ（λ）：波長λにおける増反射膜の膜厚
ｎｐ（λ）：波長λにおけるプリズムの屈折率
ｎＡ（λ）：波長λにおける増反射膜の屈折率の平均値
式（６）の上限を超えると、光線の分離距離は撮像素子の空間分解能を越えることとなり、大きなローパス効果が発生し解像性能は悪化する。
【００３９】
一方、下限は比較的成膜させやすい条件を設定しているが、技術的な進歩により膜厚を薄くすることが可能であればこれに限られない。例えばｐ／１０以下の場合であっても解像性能に影響はない。
【００４０】
さらに、膜厚ｄは以下の式を満足するように設定されることが好ましい。
ｐ／４≦（ｎｐ（λ）／ｎＡ（λ））×ｄ（λ）×β（λ）≦ｐ／２
【００４１】
このように、本実施の形態で示した膜厚条件により増反射膜を構成することにより、増反射特性を損なうことなく、解像度の劣化の少ないプリズムを含む撮像光学系を提供できる。
【００４２】
（実施の形態３）
次に実施の形態３のデジタルスチルカメラ（以下、単にデジタルカメラという）について説明する。本実施の形態のデジタルカメラは、実施の形態１、２の撮像光学系を含む。説明の便宜上、実施の形態１及び２と同一の部分については同一の符号を付して説明を行う。
【００４３】
図９はデジタルカメラ１０００の概略構成図であり、（ａ）は正面図、（ｂ）は背面図である。図９において、デジタルカメラ１０００は、筐体２と光学式ビューファインダ１１０３とストロボ１１０４とシャッタボタン１１０５とバッテリユニット１１０６と画像蓄積部１１０７と画像表示部１１０８とズーム位置切替部１１０９と、実施の形態１または２と同様の構成を有するズームレンズユニット１１０１及びレンズ鏡筒１１１０を備える。
【００４４】
レンズ鏡筒１１１０は、実施の形態１及び２とほぼ同様の構成を有する。すなわち、レンズ鏡筒１１１０は、最物体側レンズ群Ｌ１を保持する第１保持部とプリズム１５０を含む反射光学ユニットＬ２を保持する第２保持部と像側レンズ群Ｌ３を保持する第３保持部とから構成され、内部にズーム光学系Ｌと撮像素子１１０とを保持するが、上記実施の形態とは異なり、プリズム１５０はＺ軸方向から入射した光の光軸をＸ軸方向に反射するように配置される
【００４５】
バッテリユニット１１０６は、例えば乾電池やリチウムイオン電池等の二次電池であり、デジタルカメラ１０００に電源を供給する。画像蓄積部１１０７は、撮像素子１１０により電気信号に変換された画像信号を蓄積する、例えば半導体メモリ等である。なお、画像蓄積部１１０７は、筐体２から脱着可能な構成としてもよい。画像表示部１１０８は、撮像素子１１０から出力された画像信号や画像蓄積部１１０７に格納された画像信号を可視画像として表示する、例えば液晶モニタや有機ＥＬモニタ等である。ズーム位置切替部１１０９は、ユーザにより操作され、ズーム光学系Ｌを望遠側あるいは広角側へ切り替える。
【００４６】
この構成により、本実施の形態のデジタルカメラは厚みを低減することができ、コンパクトなデジタルカメラを提供できる。また、実施の形態１、２で示した条件で、レンズ鏡筒１１１０内のプリズム反射面に保護膜あるいは増反射膜を設けることにより、薄膜の特性を損なうことなく、撮像される画像の解像度の劣化が抑制されたデジタルカメラを提供できる。
【００４７】
なお、本実施の形態のデジタルカメラは光学式ビューファインダを備えたが、液晶を用いた電子ビューファインダでもよい。あるいは、ファインダを設けることなく、かかる機能を画像表示部１１０８により実現されてもよい。
【００４８】
なお、実施の形態１〜３ではズームレンズを用いた場合を例に説明したが、固定焦点であっても同様の効果を得ることができる。
【産業上の利用可能性】
【００４９】
本発明の光学系及び光学系に含まれるプリズムは、高画質の撮影画像が要望されるデジタルカメラやデジタルビデオカメラ、カメラ機能付きの携帯電話端末やＰＤＡ、車載カメラ等に好適である。
【図面の簡単な説明】
【００５０】
【図１】実施の形態１におけるレンズ鏡筒の構成を示す概略図
【図２】実施の形態１における反射光学ユニットを保持する第２保持部の概略拡大図
【図３】図３（ａ）は第２保持部の概略断面図であり、図３（ｂ）はＡ部の拡大図
【図４】実施の形態１において光が入射したＡ部の拡大図
【図５】実施の形態２におけるプリズムの一部の拡大図
【図６】図６（ａ）はプリズムの一部の拡大図と反射特性を示す図、図６（ｂ）はプリズムの一部を拡大した図と反射特性を示す図
【図７】図７（ａ）は表３の膜構成における反射特性を示す図、図７（ｂ）は表４の膜構成における反射特性を示す図
【図８】図８（ａ）は反射特性を示す図、図８（ｂ）は表６の膜構成における反射特性を示す図
【図９】実施の形態３におけるデジタルカメラの概略構成図
【符号の説明】
【００５１】
１００  レンズ鏡筒
１０１  第１保持部
１０２  第２保持部
１０３  第３保持部
１１０  撮像素子
１５０  プリズム
１５２  保護膜
１５５  金属膜
６０４  入射光
６０５、６０６  反射光
【図１】
2008058412.tif 000009
【図２】
2008058412.tif 000010
【図３】
2008058412.tif 000011
【図４】
2008058412.tif 000012
【図５】
2008058412.tif 000013
【図６】
2008058412.tif 000014
【図７】
2008058412.tif 000015
【図８】
2008058412.tif 000016
【図９】
2008058412.tif 000017